(57)【要約】【課題】  酸素によって劣化する食品や薬品や本、衣類、標本等の保存容器を成形容器に密閉して脱酸素剤等により酸素濃度を低下させる際に、密閉した成形容器やその蓋材が変形しさらには破損したり、成形容器の蓋が開けにくくなる、という問題をなくした密閉成形容器の提供を課題とする。【解決手段】本発明は、酸素濃度を低下させる密閉容器内の壁面や蓋材の任意の場所に、外気に通じる穴を開け、そこに体積収縮もしくは体積変化しやすく気体を通さない袋状のもの、またはジャバラ構造のものを設置し、密閉成形容器の内蓋自体を体積変化や体積伸縮しやすい材料にする。例えば、体積収縮もしくは体積変化しやすく気体を通さない袋状のもの、またはジャバラ構造のものとして、ゴム製の風船や片側開放のジャバラ状のフレキシブルチューブやポリエチレン袋などが挙げられる。【選択図】    図１
2007176511.tif 000002
【特許請求の範囲】
【請求項１】
ガスバリヤー性を有する金属、プラスチック、木材の中から一種以上の材料から構成される容器において、この容器本体を構成する第一の構造体に開口部を設け、且つ開口部に装着する第二の構造体により容器内部が外気と遮蔽される構造を形成し、且つ密閉された容器の中が減圧収縮しても、該容器に体積変化を起こしやすい第三の構造体を設置し、中の圧力と外気の圧力差が５００００Ｐａ以下になるようにしたことを特徴する容器。
【請求項２】
請求項1の第3の構造体の体積変化量が、構造体全体の体積の０．１％パーセント以上の量であることを特徴とする構造体。
【請求項３】
請求項1の第3の構造体が、ゴム材質、プラスチック材質の一種以上からなる、厚みが１ｍｍ以下の袋形状のものからなることを特徴とする構造体。
【請求項４】
請求項1の第3の構造体が、ゴム、プラスチック、金属の一種以上から構成されたジャバラ構造からなることを特徴とする構造体。
【請求項５】
請求項1の容器の中に脱酸素剤を設置したことを特徴とする容器。
【請求項６】
請求項1の容器の中の酸素濃度を下げるために、容器に酸素吸収装置を設置したことを特徴とする容器。
【請求項７】
請求項1の容器の湿度を下げるために除湿剤を設置したことを特徴とする容器。
【発明の詳細な説明】
【技術分野】
【０００１】
本発明は、酸素によって劣化する食品や薬品や本、衣類、標本、造形物等の保存容器を密閉する成形容器および蓋材が、例えば、密閉成形容器内が脱酸素剤によって経時的に減圧したり、内容物を熱間充填した後の冷却によって減圧することによって、変形しさらには破損したり、蓋が開けにくくなるという問題を回避するための方法に関するものである。
【背景技術】
【０００２】
従来の技術にも、硬質プラスチック材料で形成された容器本体と、それに装着されるキャップとの間に、開口部を覆う形で、弾性率の低いパッキングを装着することにより、容器内の減圧を吸収する、という技術はある（特許文献１参照。）。
【０００３】
しかし、上記の技術では、パッキングが厚いこともあり、空気中に約２０％存在する酸素濃度が低下することによって起こる容器内の減圧を完全に吸収するのは困難であった。
【０００４】
【特許文献１】特願平８−２２５０３８号公報
【発明の開示】
【発明が解決しようとする課題】
【０００５】
解決しようとする問題点は、酸素によって劣化する食品や薬品や本、衣類、標本、造形物等の保存のために、容器に密閉して脱酸素剤等により酸素濃度を低下させる際に、密閉した成形容器やその蓋材が変形しさらには破損したり、成形容器の蓋が開けにくくなる、というものである。
【課題を解決するための手段】
【０００６】
上記の問題点を解決するために本発明は、酸素濃度を低下させる密閉容器内の壁面や蓋材の任意の場所に、外気に通じる穴を開け、そこに体積収縮もしくは体積変化しやすく気体を通さない袋状のもの、またはジャバラ構造のものを設置し、密閉成形容器の内蓋自体を体積変化や体積伸縮しやすい材料にする。
【０００７】
例えば、体積収縮もしくは体積変化しやすく気体を通さない袋状のもの、またはジャバラ構造のものとして、ゴム製の風船や片側開放のジャバラ状のフレキシブルチューブやポリエチレン袋などが挙げられる。
【発明の効果】
【０００８】
本発明によって、酸素によって劣化する食品や薬品や本、衣類、標本、造形物等の保存に関して、本体の成形容器および蓋材が、酸素濃度の低下により減圧することによって変形しさらには破損したり、蓋が開けにくくなるという問題を回避することができた。
【発明を実施するための最良の形態】
【０００９】
本発明の密閉成形容器およびその蓋材および袋の材料として、ポリエチレン、ポリプロピレンなどのポリオレフィン系樹脂、ポリスチレン、ポリ塩化ビニル、ポリビニルアルコール、ＥＶＯＨ、ポリアミド、アクリル酸エステル又はメタアクリル酸エステルを主成分とするアクリル樹脂、ポリエチレンテレフタレート、ポリブチレンテレフタレート、ポリエチレンナフタレートなどのポリエステル、ポリアセタール、アセチル・ジ又はトリ・セルロースの繊維素誘導体や、ポリカーボネートなどよりなる延伸あるいは未延伸のフィルム又はこれらの延伸フィルムにアルミニウム蒸着を施したものである。また紙、アルミニウム箔と上記熱可塑性樹脂フィルムとの積層体を用いることもできる。なお、基材フィルムとなるポリビニルアルコール、ＥＶＯＨのフィルムは、いわゆるガスバリアフィルムとして積層するものではなく、静電気による粉塵の付着防止フィルムとするものであり、またアルミニウム箔やアルミニウム蒸着フィルムは金属光沢としての装飾効果を活用するものである。特に印刷適性、後加工適性に優れたポリエチレンテレフタレート、ポリプロピレンやナイロン６の二軸延伸フィルムの厚みが６〜５０μｍのものが印刷適性などの加工適性に優れ、基材プラスチックフィルムとして好ましいものである。また、減圧吸収構造体としてゴム風船のような延伸する素材を使う場合、合成ゴムとしては、ニトリルゴム（ＮＢＲ）、アクリルゴム（ＡＣＭ）、ブタジエンゴム（ＢＲ）、ウレタンゴム（Ｕ）など、熱可塑性エラストマーとしては、スチレンブロックコポリマー（ＳＢＣｓ）、熱可塑性ポリオレフィンエラストマー（ＴＰＯｓ）、熱可塑性ポリウレタンエラストマー（ＴＰＵｓ）、熱可塑性コポリエステルエラストマー（ＣＯＰＥｓ）、軟質（可塑化）ポリ塩化ビニル（ＰＶＣ）などを挙げることができる。
【００１０】
脱酸素剤等によって密閉成形容器から奪われる酸素の体積は、空の場合には密閉成形容器全体の体積の約２０％であるので、減圧吸収部分の大きさとしては、最大時の大きさで密閉成形容器内の全体積の２０％割以上で密閉成形容器の使用に差し支えない程度の大きさが望ましい。また、減圧吸収構造体は密閉成形容器１つに対して複数個設置してもよく、この場合、個々の減圧構造体の最大時の体積の合計が密閉成形容器の体積の２０％以上であると減圧を吸収するのに充分である。この際に減圧量としては、密閉成形容器の中に保存品が入ることにより中の空気量が減るために、少なくとも体積変化量が、構造体全体の体積の０．１パーセント以上の量であることが望ましい。
減圧吸収構造体の内圧と外気の差圧が５００００Ｐａより大きいと、蓋やドア等が内側に吸引されたように圧力を受けるので、開ける際に大きな力を必要とする。そのため、少なくとも５００００Ｐａ以下が望ましい。
【００１１】
密閉成形容器またはその蓋材と減圧吸収構造体とは、ねじや接着剤やねじきり方法等で空気が漏れないように接合する。ねじきり方法を用いる場合ゴム等で接合部分を覆うと更に空気が漏れにくくなるので好ましい。特にシールを高めるために、密閉成形容器またはその蓋材と減圧吸収構造体の接触部分において、溝を掘りゴムパッキンやオーリング等を用いることが好ましい。
【００１２】
密閉成形容器または蓋材に開ける外気に通じる開口部、または穴の形成方法は外気に通じる開口部、または穴の大きさは直径０．１ｍｍ程度より大きく、密閉成形容器または蓋の使用に差し支えない程度が望ましい。
本発明の酸素除去の方法として、一般的な脱酸素剤によるものだけではなく、酸素濃淡電池の方法や燃料電池による空気極側での酸素除去、ガス分離膜による酸素除去等の方法に対しても同様な効果がある。
【実施例１】
【００１３】
図１に示すように、蓋材１によってほぼ完全に密閉できる成形容器の内蓋２が、体積変化するジャバラ状の片側開放のフレキシブルチューブでできていることから、密閉成形容器内の酸素濃度が、脱酸素剤３によって低下しても、内蓋２によって減圧が吸収され、密閉成形容器の変形さらには破損、蓋材１が開けにくくなるということを避けられる。
図１の構造を持つ構造体の例として、ポリエチレンから作製された容器の内径１５ｃｍ、高さ２０ｃｍの大きさ、厚み１ｃｍのものを作製し、内蓋としてジャバラ状の片側開放のフレキシブルチューブを用い、外蓋は塩化ビニル樹脂より作製した。この際にジャバラ状の片側開放のフレキシブルチューブの体積変化量を変えて、容器内側の圧力と外側の圧力の差を変えて、差圧と内蓋の開けにくさを調べた。この結果を表１に示す。
【００１４】
【表１】
2007176511.tif 000003
【００１５】
上記の表に示したように、５００００Ｐａ以下がよく、さらに１０００Ｐａ以下が望ましいことが分かる。
【実施例２】
【００１６】
図２に示すように、蓋材１によってほぼ完全に密閉できる成形容器の内蓋５が、伸縮しやすいゴムのような素材でできていることから、密閉成形容器内の酸素濃度が、脱酸素剤３によって低下しても、内蓋３によって減圧が吸収されるので、密閉成形容器の変形さらには破損、蓋材１が開けにくくなる、ということを避けられる。図２の構造を持つ構造体の例として、ガラスから作製された容器の内径１５ｃｍ、高さ２０ｃｍの大きさ、厚み０．５ｃｍのものを作製し、内蓋として厚さ０．１ｍｍの天然ゴムを内側に張った内径１５ｃｍのブチルゴムのオーリングを作製し、鉄製の外蓋を作製した。鉄蓋がガラスの容器にねじ切って繋がるようにした。この際に容器の中に容器内の空気の酸素量の２倍量の脱酸素剤を添加して、容器内の空気の酸素を除去し、オーリングの内側に張った天然ゴムの厚みを変えて、天然ゴムを張ったブチルゴムのオーリングからなる内蓋の開けにくさを調べた。この結果を表２に示す。
【００１７】
【表２】
2007176511.tif 000004
【００１８】
上記の表に示したように、体積変化をさせる構造体を構成する袋形状の材質の厚みとして、１ｍｍ以下がよく、好ましくは０．１ｍｍ以下が望ましいことが分かる。
【実施例３】
【００１９】
図３に示すように、蓋材１によってほぼ完全に密閉できる成形容器の壁面７の任意の場所に、外気に通じる直径０．１ｍｍから密閉成形容器の使用に差し支えない程度の大きさの穴９を開け、体積変化するジャバラ状の片側開放のフレキシブルチューブ８を、開放しているほうを壁面７に向けて空気が漏れないように、壁面７の内側、場合によっては外側に取り付けることによって、密閉成形容器内の酸素濃度が、脱酸素剤３によって低下しても、体積変化するジャバラ状の片側開放のフレキシブルチューブ８によって減圧が吸収されるので、密閉成形容器の変形さらには破損、蓋材１が開けにくくなる、ということを避けられる。
【実施例４】
【００２０】
図４に示すように、蓋材１によってほぼ完全に密閉できる成形容器の壁面の任意の場所に、外気に通じる直径０．１ｍｍから密閉成形容器の使用に差し支えない程度の大きさの穴１２を開け、体積変化しやすいポリエチレン袋１１を、開放しているほうを壁面に向けて空気が漏れないように、壁面の内側、場合によっては外側に取り付けることによって、密閉成形容器内の酸素濃度が、脱酸素剤３によって低下しても、体積変化しやすいポリエチレン袋１１によって減圧が吸収されるので、密閉容器の変形さらには破損、蓋材１が開けにくくなる、ということを避けられる。
【００２１】
また、体積変化しやすいポリエチレン袋１１はゴム製の風船等でも代用できる。
【実施例５】
【００２２】
図５に示すように、ドア１５によってほぼ完全に密閉できる戸棚に隔壁１７を設け、隔壁１７より下部の壁面１６の任意の場所に、外気に通じる直径０．１ｍｍから密閉成形容器の使用に差し支えない程度の大きさの穴１８を開け、体積変化しやすい片側開放のジャバラ状のフレキシブルチューブ１９を、開放しているほうを壁面１６に向けて空気が漏れないように、壁面１６の内側、場合によっては外側に取り付けることによって、密閉成形容器内の酸素濃度が、脱酸素剤３によって低下しても、体積変化するジャバラ状の片側開放のフレキシブルチューブ１９によって減圧が吸収されるので、戸棚の変形さらには破損、ドア１５が開けにくくなる、ということを避けられる。
【００２３】
また、隔壁は縦方向に設けてもよく、その場合、外気に通じる穴は隔壁より奥の壁面や天井の任意の場所でもよい。脱酸素剤は脱酸素剤を吊るす紐付の通気性のある袋１４で天井から吊るしてもよいし、戸棚内のどこに設置しても効果がある。体積変化するジャバラ状の片側開放のフレキシブルチューブ１９は体積変化しやすいポリエチレン袋やゴム製の風船等でも代用できる。
【００２４】
図５の構造を持つ構造体の例として、肉厚１ｃｍのポリカーボネイト樹脂から作製された縦５０ｃｍ、横２０ｃｍ、奥行き３０ｃｍの大きさの本体の容器を作製し、ドアとして肉厚１ｃｍのポリカーボネイト樹脂の板を用いた。本体の容器とドアの板の間にはシリコンゴムのパッキンを形成し、ドアとのシール性を高めた。また、外気に通じる直径１０ｍｍの大きさの穴を開け、体積変化しやすい片側開放のジャバラ状のフレキシブルチューブを容器内で膨張する方向で取り付けた。この蛇腹として、プラスチックのバネ形状のものにアルミの箔を取り付けて、中を脱酸素剤で減圧しても蛇腹の体積変化により、ドアの開閉が楽であった。この蛇腹を天然ゴムの風船にしても同様な効果が得られた。
【産業上の利用可能性】
【００２５】
本発明により、例えば冷蔵庫の中の雑菌を抑制するために無酸素化することによる減圧の防止や食品搬送用や美術品の保存用の容器の中の酸素除去による減圧の防止を可能にすることによってドアの開閉や蓋の開け閉め、更にはビンつめの蓋の開け閉めを容易にすることが可能であり、酸素による劣化を防止するために酸素除去を必要とする保存容器全般に用いることが可能である。
【図面の簡単な説明】
【００２６】
【図１】減圧吸収密閉成形容器の断面の構成を示す概略図である。（実施例１）
【図２】減圧吸収密閉成形容器の断面の構成を示す概略図である。（実施例２）
【図３】減圧吸収密閉成形容器の断面の構成を示す概略図である。（実施例３）
【図４】減圧吸収密閉成形容器の断面の構成を示す概略図である。（実施例４）
【図５】減圧吸収密閉戸棚の断面の構成を示す概略図である。（実施例５）
【符号の説明】
【００２７】
１  密閉成形容器の蓋材
２  減圧吸収部分を有する内蓋
３  脱酸素剤
４  密閉成形容器の壁面
５  伸縮性のあるゴム等の素材でできた密閉成形容器の内蓋
６  密閉成形容器の内蓋
７  密閉成形容器の壁面
８  片側開放のジャバラ状のフレキシブルチューブ
９  外気と通じる穴
１０  密閉成形容器の壁面
１１  ポリエチレン袋
１２  外気と通じる穴
１３  天井
１４  脱酸素剤を吊るす紐付の通気性のある袋
１５  減圧吸収密閉戸棚のドア
１６  壁面
１７  隔壁
１８  外気と通じる穴
１９  片側開放のジャバラ状のフレキシブルチューブ
【図１】
2007176511.tif 000005
【図２】
2007176511.tif 000006
【図３】
2007176511.tif 000007
【図４】
2007176511.tif 000008
【図５】
2007176511.tif 000009